(57)【要約】【課題】刃部材を振動させて理容師等の疲労を軽減することができる具体的構成を備えた理美容鋏を提供する。【解決手段】刃部１ａを備えた一対の鋏部材１Ｒ．１Ｌを支点軸２により回動させる理美容鋏１０であって、一対の鋏部材の一方１Ｒだけが、把手部材１ｂＲと刃部材１ｃＲとを支点軸２部分で上下に重複部分１ｄを介して連接されたものとされ、把手部材１ｂＲに対して刃部材１ｃＲを、偏芯部材３の回転に伴う偏芯運動を変換して、刃部材１ｃＲの刃部１ａが伸びている方向へ他方の鋏部材１Ｌの刃部材１ｃＬに対して相対的に往復運動させる回転往復変換機構４が備えられている。【選択図】図１
2014195582.tif 000002
【特許請求の範囲】
【請求項１】
刃部を備えた一対の鋏部材を支点軸により回動させる理美容鋏であって、
前記支点軸を中心として回転し、偏芯部と非偏芯部とを備えた偏芯部材と、前記支点軸に対して前記偏芯部材だけを回転させる駆動部材と前記駆動部材に駆動エネルギを与える電池とを備え、
前記一対の鋏部材の少なくとも一方は、把手部材と刃部材とを前記支点軸部分で上下に重複部分を介して連接されたもので、前記把手部材の重複部分は前記非偏芯部を収容し、前記刃部材の重複部分は前記偏芯部を収容し、
前記把手部材と前記刃部材との重複部分に、前記把手部材に対して前記刃部材を、前記偏芯部材の回転に伴う偏芯運動を変換して、前記刃部材の刃部が伸びている方向へ他方の鋏部材の刃部材に対して相対的に往復運動させる回転往復変換機構が備えられていることを特徴とする理美容鋏。
【請求項２】
一対の鋏部材の一方だけが、把手部材と刃部材とを前記支点軸部分で上下に重複部分を介して連接されたものとされ、前記重複部分に回転往復変換機構が備えられていることを特徴とする請求項１記載の理美容鋏。
【発明の詳細な説明】
【技術分野】
【０００１】
本発明は、刃部を備えた一対の鋏部材を支点軸により回動させる理美容鋏に関する。
【背景技術】
【０００２】
理容師、美容師が業務用に使用する理美容鋏は、長時間使用されるものなので、使用中に手や腕等の筋肉などに余分な疲労を与えないものであることが要請される。この要請に応えるものとして、特許文献１に記載の毛髪切断装置（理美容鋏）がある。図１９は、この、本発明の背景技術となる理美容鋏を示す正面図である。
【０００３】
この理美容鋏２０は、一対の鋏部材１１を支点軸１２により回動させるものである。一対の鋏部材１１は、それぞれ刃部材１１ｃと把手部材１１ｂとを備え、通常の理美容鋏と同様に把手部材１１ｂを操作することにより、刃部材１１ｃで毛髪を切断することができるものである。
【０００４】
この理美容鋏２０は、導線１５によって電源装置１６から電力の供給を受けて刃部材１１ｃを図の矢印方向に振動させる振動子（振動を印加する手段）１４を備え、これにより、毛髪の切断の際に抵抗が小さくなる、と記載されている。しかしながら、振動子１４の具体的構成については、一切記載がなかった。
【先行技術文献】
【特許文献】
【０００５】
【特許文献１】特開２００２−１７２２８０号公報（図１）
【発明の概要】
【発明が解決しようとする課題】
【０００６】
本発明は、上記問題を解決しようとするもので、刃部材を振動させて理容師等の疲労を軽減することができる具体的構成を備えた理美容鋏を提供することを目的とする。
【課題を解決するための手段】
【０００７】
本発明の理美容鋏は、刃部を備えた一対の鋏部材を支点軸により回動させる理美容鋏であって、前記支点軸を中心として回転し、偏芯部と非偏芯部とを備えた偏芯部材と、前記支点軸に対して前記偏芯部材だけを回転させる駆動部材と前記駆動部材に駆動エネルギを与える電池とを備え、
前記一対の鋏部材の少なくとも一方は、把手部材と刃部材とを前記支点軸部分で上下に重複部分を介して連接されたもので、前記把手部材の重複部分は前記非偏芯部を収容し、前記刃部材の重複部分は前記偏芯部を収容し、
前記把手部材と前記刃部材との重複部分に、前記把手部材に対して前記刃部材を、前記偏芯部材の回転に伴う偏芯運動を変換して、前記刃部材の刃部が伸びている方向へ他方の鋏部材の刃部材に対して相対的に往復運動させる回転往復変換機構が備えられているので、刃部材を振動させて理容師等の疲労を軽減することができる具体的構成を備えた理美容鋏を提供することができる。
【発明の効果】
【０００８】
上記、解決手段に記載した通りである。
【図面の簡単な説明】
【０００９】
【図１】（ａ）は、本発明の理美容鋏の一例を示す正面図、（ｂ）は、（ａ）の右側面図、（ｃ）は、（ａ）の下側面図、（ｄ）は、この理美容鋏の分解斜視図
【図２】図１の理美容鋏の一方の鋏部材を示すもので、（ａ）は、その裏面図、（ｂ）は、その下側面図、（ｃ）は、その表面図、（ｄ）は、（ｃ）の右側面図
【図３】図１の理美容鋏の刃部材を示すもので、（ａ）は、その裏面図、（ｂ）は、その下側面図、（ｃ）は、その表面図、（ｄ）は、（ｃ）の右側面図
【図４】図１の理美容鋏の把手部材を示すもので、（ａ）は、その表面図、（ｂ）は、その一部破断の下側面図、（ｃ）は、その裏面図、（ｄ）は、（ｃ）の右側面図
【図５】図１の理美容鋏の支点軸を示すもので、（ａ）は、その正面図、（ｂ）は、その側面図
【図６】図１の理美容鋏の偏芯部材を示すもので、（ａ）は、その正面図、（ｂ）は、その縦断面図、（ｃ）は、（ｂ）の右側面図
【図７】図１の理美容鋏の回転往復変換機構の動作状態を示すもので、（ａ）は、その偏芯部材が最左方向に偏芯している状態を示す概念図、（ｂ）は、その偏芯部材が９０度回転した状態を示す概念図、（ｃ）は、その偏芯部材が１８０度回転した状態を示す概念図
【図８】（ａ）は、本発明の理美容鋏の他例を示す正面図、（ｂ）は、（ａ）の下側面図、（ｃ）は、この理美容鋏の分解斜視図
【図９】図８の理美容鋏の刃部材を示すもので、（ａ）は、その裏面図、（ｂ）は、その下側面図、（ｃ）は、その表面図、（ｄ）は、（ｃ）の右側面図
【図１０】図８の理美容鋏の把手部材を示すもので、（ａ）は、その表面図、（ｂ）は、その下側面図、（ｃ）は、その裏面図、（ｄ）は、（ｃ）の右側面図
【図１１】図８の理美容鋏のスライド部材を示すもので、（ａ）は、その正面図、（ｂ）は、その側面図
【図１２】（ａ）は、本発明の理美容鋏の他例を示す正面図、（ｂ）は、（ａ）の要部破断の下側面図、（ｃ）は、（ｂ）の要部拡大図、（ｄ）は、この理美容鋏の分解斜視図
【図１３】図１２の理美容鋏の一方の把手部材を示すもので、（ａ）は、その表面図、（ｂ）は、その側面図、（ｃ）は、その裏面図、（ｄ）は、（ｃ）のＡＡ矢視断面図、（ｅ）は、この把手部材の斜視図
【図１４】図１２の理美容鋏の他方の把手部材を示すもので、（ａ）は、その表面図、（ｂ）は、その側面図、（ｃ）は、その裏面図、（ｄ）は、（ｃ）のＢＢ矢視断面図、（ｅ）は、この把手部材の斜視図
【図１５】図１２の理美容鋏の刃部材を示すもので、（ａ）は、裏面図、（ｂ）は、その下側面図、（ｃ）は、その表面図、（ｄ）は、（ｃ）の右側面図、（ｅ）はこの刃部材の斜視図
【図１６】（ａ）は、図１２の理美容鋏のスライド薄部材を示す正面図、（ｂ）は、（ａ）の側面図、（ｃ）は、図１２の理美容鋏の支点軸の正面図、（ｄ）は、（ｃ）の側面図
【図１７】図１２の理美容鋏の偏芯部材を示すもので、（ａ）は、その正面図、（ｂ）は、その縦断面図、（ｃ）は、（ｂ）の右側面図、（ｄ）は、（ｂ）のＣＣ矢視断面図、（ｅ）は、（ｂ）のＤＤ矢視断面図
【図１８】図１２の理美容鋏の回転往復変換機構の動作状態を示すもので、（ａ）、（ｂ）は、その偏芯部材が最左方向に偏芯している状態を示す概念図、（ｃ）、（ｄ）は、その偏芯部材が９０度回転した状態を示す概念図、（ｅ）、（ｆ）は、その偏芯部材が１８０度回転した状態を示す概念図
【図１９】本発明の背景技術の理美容鋏を示す正面図
【符号の説明】
【００１０】
１（１Ｒ、１ＲＡ、１ＲＢ、１Ｌ、１ＬＢ）    鋏部材
１ａ    刃部
１ｂ    把手部材
１ｃ    刃部材
１ｄ    重複部分
１ｅ    把手部材の重複部分
１ｆ    刃部材の重複部分
２、２Ａ      支点軸
３、３Ａ      偏芯部材
３ａ    偏芯部
３ｂ    非偏芯部
４、４Ａ、４Ｂ      回転往復変換機構
５      駆動部材
６      電池
１０、１０Ａ、１０Ｂ    理美容鋏
【発明を実施するための形態】
【００１１】
以下に、本発明の実施の形態について、図面を用いて説明する。
【００１２】
＜実施形態１＞
図１（ａ）は、本発明の理美容鋏の一例を示す正面図、（ｂ）は、（ａ）の右側面図、（ｃ）は、（ａ）の下側面図、（ｄ）は、この理美容鋏の分解斜視図である。
【００１３】
この理美容鋏１０は、刃部１ａを備えた一対の鋏部材１（１Ｒ、１Ｌ）を支点軸２により回動させるものであって、支点軸２を中心として回転し、偏芯部３ｈと非偏芯部３ｇとを備えた偏芯部材３と、支点軸２に対して偏芯部材３だけを回転させる駆動部材５とこの駆動部材５に駆動エネルギを与える電池６とを備えている。なお、本発明における実施形態の説明では、一対のものの内、一方の側を示す場合には添字Ｒを、他方の側を示す場合には添字Ｌを必要に応じて付記する。
【００１４】
一対の鋏部材１（１Ｒ、１Ｌ）の一方である鋏部材１Ｒは、把手部材１ｂＲと刃部材１ｃＲとを支点軸２部分で上下に重複部分１ｄを介して連接されたもので、把手部材１ｂＲの重複部分１ｅは非偏芯部３ｇを収容し、刃部材１ｃＲの重複部分１ｆは偏芯部３ｈを収容している。
【００１５】
この理美容鋏１０には、把手部材１ｂＲと刃部材１ｃＲとの重複部分１ｄに、把手部材１ｂＲに対して刃部材１ｃＲを、偏芯部材３の回転に伴う偏芯運動を変換して、刃部材１ｃＲの刃部１ａが伸びている方向へ他方の鋏部材１Ｌの刃部材１ｃＬに対して相対的に往復運動（矢印Ｋ方向）させる回転往復変換機構４が備えられていることを特徴とする。
【００１６】
なお、符号７は、一般の理美容鋏と共通する、一対の把手部材１ｂＲ、Ｌ間の緩衝材を示し、符号８は、一対の把手部材１ｂＲ、Ｌの少なくともいずれか一方に設けられる指掛を示している。
【００１７】
駆動部材５は、電動モータであって、減速機付きのものでも、減速機無しのものでもよく、その駆動方式も限定されず、直流モータであっても交流モータであってもよく、偏芯部材３を所定の回転数で回転させることができるものであれば、なんでもよい。また、電動モータは、回転方向と位置とを任意に制御できるステッピングモータであっても良い。偏芯部材３の回転数は、毎分６０回転から３６００回転までの間で実際の使用により適切な回転するを選択することができる。なお、上記の回転数以外でもよい。
【００１８】
なお、上記の回転には、ステッピングモータなどを用いた、正転・逆転を繰り返すようなものも含まれる。
【００１９】
ただし、駆動部材５は、支点軸２部分に設置されるものなので、この支点軸２部分から、極力外側に飛び出さない形状のものが好ましく、外側方向に余り大きく飛び出すような大きさのものでは、理美容鋏１０の使用上差し支えがあるので、好ましくない。また、駆動部材５の高さも使用上差し支えのない程度に極力低いものが好ましい。近年、例えば、携帯電話の振動手段として、超小型の電動モータが実用化されているが、そのような超小型の電動モータが好ましい。
【００２０】
電池６は、駆動エネルギを供給できるものであれば、その蓄電方式や、電池素材に限定されるものではないが、少なくとも、理美容師が、顧客一人の髪を切断するのに必要な駆動エネルギーを蓄積し、供給できるものが好ましい。電池６は、その条件を満たす限り、充電のできない一次電池である、マンガン乾電池、アルカリマンガン乾電池 、ニッケル系一次電池、ニッケルマンガン電池、酸化銀電池、水銀電池、空気亜鉛電池などのいずれであってもよいが、その大きさと形状とは、２点鎖線の想像線で示したように、理美容鋏１０の使用に差し支えのない部分に設置できるものがよい。 
【００２１】
電池６は、上記条件を満たす限り、充電可能な二次電池である、鉛蓄電池、リチウムイオン二次電池、ニッケル・水素蓄電池、ニッケル・カドミウム蓄電池、ナトリウム・硫黄（NaS、ナス）電池、ニッケル・亜鉛蓄電池、酸化銀・亜鉛蓄電池、レドックス・フロー電池などのいずれであってもよい。充電時間は、一回の放電後の充電時間が、フル充電の電池の使用時間中に収まるものがよいが、これに限定されるものではない。 
【００２２】
電池６は、一次電池の場合はもちろん、二次電池の場合も着脱交換可能とするのが良い。二次電池は、交換した二次電池を次の使用のために充電することができる。二次電池の場合は、着脱交換可能とする代わりに、理美容鋏１０に設置したままで、有線あるいは無線により充電可能としてもよい。
【００２３】
本願発明の理美容鋏１０においては、電池６を用いることで、理美容鋏１０に駆動エネルギを供給するための導線などの線が一切ないことが、その特徴のひとつである。このため、従来の振動機構のない理美容鋏と全く同様に、自由に理美容鋏１０を使用することができる。
【００２４】
以下、図２〜６を用いて、この理美容鋏１０の上記作用効果を発揮するための各部品について詳しく説明し、図７を用いて、この理美容鋏１０の最大の特徴である回転往復変換機構４の作用効果について、詳しく説明する。
【００２５】
図２は、図１の理美容鋏の一方の鋏部材を示すもので、（ａ）は、その裏面図、（ｂ）は、その下側面図、（ｃ）は、その表面図、（ｄ）は、（ｃ）の右側面図である。なお、これよりすでに説明した部分については、同じ符号を付して、重複説明を省略する。
【００２６】
この一方の鋏部材１Ｌは、把手部材１ｂＬと刃部材１ｃＬとが一体化され、刃部材１ｃＬが把手部材１ｂＬ対して振動しないもので、その点では、通常の理美容鋏の鋏部材と共通である。なお、本願では、理美容鋏１０の外側を各部材の表面側と称し、内側を各部材の裏面側と称している。つまり、鋏部材１Ｒ、１Ｌの裏面側同士が接触している。
【００２７】
鋏部材１Ｌの裏面側には、理美容鋏１０としての切れ味を保持するために重要な役割を果たす触点１ｈが支点軸２を貫通させる角穴１ｇを囲うように形成されている。この触点１ｈは、図２（ａ）では見えていないが、刃部材１ｃＬの刃部１ａと反刃部１ａ側にも小さい幅ながらも連続して形成されており、これにより、他方の鋏部材１Ｒの触点１ｈとの接触を理美容鋏１０の使用中のどのような回動状態でも維持しており、理美容鋏１０の滑らかな回動と刃部１ａによる切れ味とを保持している。
【００２８】
図２（ｃ）に見える角穴１ｇの周囲に設けられた円形凹部１ｉは、支点軸２の軸端に嵌め込む固定ナット部材２ｆと、その下に入れ込まれるワッシャ２ｅとを収容して、これらのワッシャ２ｅと固定ナット部材２ｆとが、鋏部材１Ｌの支点軸２部分からできるだけ突出しないようにするためのものである。
【００２９】
符号１ｊは、図１で説明した指掛８を取り付けるための指掛取付部であり、符号７ａは、図１で説明した緩衝材７を設けるための緩衝材受けである。これらの指掛取付部１ｊ、緩衝材受け７ａは、一般の理美容鋏のものと共通するものである。
【００３０】
図３は、図１の理美容鋏の刃部材を示すもので、（ａ）は、その裏面図、（ｂ）は、その下側面図、（ｃ）は、その表面図、（ｄ）は、（ｃ）の右側面図である。
【００３１】
この刃部材１ｃＲは、理美容鋏１０の一方の鋏部材１Ｒの刃部材であり、鋏部材１Ｒの把手部材１ｂＲとは分離されており、重複部分１ｆによって把手部材１ｂＲと相互にスライド可能に連接されるものである。重複部分１ｆの支点軸２の偏芯部３ｈを囲む部分には、長円状の貫通長孔４ａが設けられ、この貫通長孔４ａを間隔をおいて挟むように一対のスライド突起４ｂが設けられている。
【００３２】
貫通長孔４ａの最小径部分は、図１で説明した偏芯部３ｈの外径部分に対応したものとなっており、その長孔方向の変動量は、偏芯部３ｈの偏芯量の２倍より小さくないようになっている。また、スライド突起４ｂを結ぶ線は、刃部１ａの伸びる方向に対応しており、このスライド突起４ｂを結ぶ線に対して、貫通長孔４ａの変動方向は直交する関係にある。
【００３３】
図４は、図１の理美容鋏の把手部材を示すもので、（ａ）は、その表面図、（ｂ）は、その一部破断の下側面図、（ｃ）は、その裏面図、（ｄ）は、（ｃ）の右側面図である。
【００３４】
この把手部材１ｂＲは、刃部材１ｃＲの重複部分１ｆに対応した重複部分１ｅを備えている。この重複部分１ｅには、支点軸２の非偏芯部３ｇを囲む部分に、円形の貫通孔４ｃが設けられ、この貫通孔４ｃを間隔をおいて挟むように一対の長孔凹所４ｄが設けられている。貫通孔４ｃの表面側には、より大きい内径の円形段部４ｃ′が設けられている。
【００３５】
一対の長孔凹所４ｄは、刃部材１ｃＲの重複部分１ｆと、把手部材１ｂＲの重複部分１ｅとを対面させたときには、スライド突起４ｂを収容するようになっている。長孔凹所４ｄの長孔の変動量は、偏芯部３ｈの偏芯量の２倍より小さくないようになっている。長孔凹所４ｄとスライド突起４ｂとの関係は、スライド突起４ｂが長孔凹所４ｄの長孔方向以外にはスライドしないようなものとなっている。
【００３６】
なお、図１でも説明したが、刃部材１ｃＲの重複部分１ｆと、把手部材１ｂＲの重複部分１ｅとを合わせて重複部分１ｄと称する。また、貫通長孔４ａ、一対のスライド突起４ｂ、貫通孔４ｃ及び一対の長孔凹所４ｄを総称して回転往復変換機構４という。円形段部４ｃ′は、回転往復変換機構４には必須の構成要件ではない。また、符号７ｂは、緩衝材７が接触する接触部である。
【００３７】
図５は、図１の理美容鋏の支点軸を示すもので、（ａ）は、その正面図、（ｂ）は、その側面図である。この支点軸２は、首下テーパー部２ａと、首下テーパー部２ａに続く円柱部２ｂと、円柱部２ｂに続く角柱部２ｃと、この角柱部２ｃに続く先端ネジ部２ｄとを備えている。
【００３８】
角柱部２ｃの最大外径は、円柱部２ｂの外径より大きくなく、先端ネジ部２ｄの外径は、角柱部２ｃの最大外径より大きくない。角柱部２ｃは、鋏部材１Ｌの角穴１ｇに対応したもので、この角穴１ｇにガタ付きなく収容され、支点軸２が鋏部材１Ｌに対して回転しないようになっている。先端ネジ部２ｄには、ワッシャ２ｅが嵌められ、固定ナット部材２ｆがネジ締付される。
【００３９】
図６は、図１の理美容鋏の偏芯部材を示すもので、（ａ）は、その正面図、（ｂ）は、その縦断面図、（ｃ）は、（ｂ）の右側面図である。この偏芯部材３は、支点軸２の外側に嵌め入れるもので、回転しない支点軸２を中心として回転するものである。
【００４０】
偏芯部材３は、支点軸２の頭部を収容する頭部孔３ａと、頭部孔３ａに連続し、支点軸２の首下テーパー部２ａに対応したテーパー受け部３ｂと、テーパー受け部３ｂに連続し、支点軸２の円柱部２ｂを滑らかにかつガタ付きなく回転可能に収容する貫通中心孔３ｃとを、その内側部分に備えている。
【００４１】
偏芯部材３の外側部分は、上記順序に対応して、六角部３ｅと、この六角部３ｅに連続した円形のツバ部３ｆと、このツバ部３ｆに連続し、把手部材１ｂＲの貫通孔４ｃに対応した外径の非偏芯部３ｇと、非偏芯筒部３ｇに連続し貫通中心孔３ｃつまり非偏芯部３ｇ対して偏芯した偏芯部３ｈとを備えている。この偏芯部３ｈは、刃部材１ｃＲの貫通長孔４ａに収容される。ツバ部３ｆは把手部材１ｂＲの円形段部４ｃ′に収容される。
【００４２】
この偏芯部３ｈの偏芯量は、刃部１ａ（刃部材１ｃＲ）の刃先の伸長方向への振動の振幅（偏芯量の２倍）を決定するものであるが、最小で０．０５ｍｍで、最大で１．０ｍｍが適切であるが、この範囲外であってもよい。要するに、この偏芯量は、それによる刃部材の振動により、理美容鋏１０による毛髪の切断の負荷が最も効率よく減少され、かつ、その振動が理美容師に与える使用上の違和感を極力減少させるものであることを条件として設定されるものである。
【００４３】
図７は、図１の理美容鋏の回転往復変換機構の動作状態を示すもので、（ａ）は、その偏芯部材が最左方向に偏芯している状態を示す概念図、（ｂ）は、その偏芯部材が９０度回転した状態を示す概念図、（ｃ）は、その偏芯部材が１８０度回転した状態を示す概念図である。なお、これらの図では、支点軸２は省略しているが、実際には、偏芯部材３の貫通中心孔３ｃの中には、支点軸２の円柱部２ｂが収容されている。
【００４４】
図７（ａ）の状態では、偏芯部材３の偏芯部３ｈが図面上で最も左の位置にあり、この偏芯部材を収容する刃部材１ｃＲの貫通長孔４ａの図の左右方向の対面幅は偏芯部３ｈの外径に対応したものとなっているので、刃部材１ｃＲは最も左方向の位置となり、これに対応して、刃部材１ｃＲの一対のスライド突起４ｂも把手部材１ｂＲの一対の長孔凹所４ｄ対して最も左方向の位置に位置している。
【００４５】
図７（ｂ）の状態は、図７（ａ）に較べ、偏芯部材３が９０度時計回りに回転した状態であり、このとき、偏芯部３ｈは真左の状態から、９０度回転して真上の状態となる。ここで、貫通長孔４ａは上下に長孔となっているので、刃部材１ｃＲへの上下への動きは生じず、一方、貫通長孔４ａは左右には偏芯部３ｈと同じ対面幅であり、かつ、刃部材１ｃＲの一対のスライド突起４ｂは把手部材１ｂＲの一対の長孔凹所４ｄによって、図の上下方向には移動できず、偏芯部３ｈの回動に伴う貫通長孔４ａの横移動（矢印Ｋの方向への移動）だけが生じ、結果、刃部材１ｃＲの一対のスライド突起４ｂは把手部材１ｂＲの一対の長孔凹所４ｄ対して中央の位置に移動して、この状態となる。
【００４６】
図７（ｃ）の状態は、図７（ｂ）に較べ、偏芯部材３が更に９０度（図７（ａ）に較べ１８０度）時計回りに回転した状態であり、同様の非拘束と拘束条件下で、貫通長孔４ａの横移動だけが生じ、結果、刃部材１ｃＲの一対のスライド突起４ｂは把手部材１ｂＲの一対の長孔凹所４ｄ対して最右位置に移動して、この状態となる。
【００４７】
図７（ｃ）の状態から、偏芯部材３が更に９０度時計回りに回転すると、同様の非拘束と拘束条件下で、貫通長孔４ａの反対方向（矢印Ｋとは反対方向）の横移動だけが生じ、結果、刃部材１ｃＲの一対のスライド突起４ｂは把手部材１ｂＲの一対の長孔凹所４ｄ対して中央の位置に移動し、更に、偏芯部材３が９０度時計回りに回転すると、更に、該反対方向の移動だけが生じ、図７（ａ）の状態にもどる。
【００４８】
この移動の状態は、図７（ａ）、（ｂ）、（ｃ）に示した刃部材１ｃＲの左端部と把手部材１ｂＲの模様線部分との間の距離Ｌ１が、順により小さい距離Ｌ２になり、最後に一番小さい距離Ｌ３なるという点と、刃部材１ｃＲと把手部材１ｂＲとの間の上下方向の相対移動はない、というものでもあることを確認する。なお、偏芯部材３の回転は、六角部３ｅに対応した嵌合部を備えた駆動手段５が電池６からの電力を受けることによって回転し、その回転が偏芯部材３に伝達されることで達成される。
【００４９】
つまり、上述したような回転往復変換機構４によって、偏芯部材３の回転運動が、把手部材１ｂＲに対して、刃部材１ｃＲだけを、刃部材１ｃＲの一対のスライド突起４ｂを結ぶ線方向の、つまり、刃部１が伸びる方向の往復移動となるように変換されていることが解る。
【００５０】
よって、本発明の理美容鋏１０によれば、上述の重複部分１ｄにより相互にスライド可能に連接された把手部材１ｂＲと刃部材１ｃＲとからなる鋏部材１Ｒ、支点軸２、偏芯部材３、回転往復変換機構４、駆動部材５及び電池６という具体的構成によって、把手部材を振動させずに刃部材だけを振動させて理容師等の疲労を軽減することができる理美容鋏を実現することができる。
【００５１】
なお、本発明の理美容鋏１０においては、使用中、把手部材１ｂＲと刃部材１ｃＲとの間の重複部分１ｄ、刃部材１ｃＲと刃部材１ｃＬの相互の触点１ｈは、上記振動により常時接触しながら相対的に往復移動するものなので、これらの接触面の滑りをよくするため、この接触面のどちらか一方かあるいは両方に潤滑剤を塗布したり、あるいは、潤滑性シート（例えば、ポリテトラフルオロエチレン（ＰＴＦＥ）など のシート）を貼付しておくと良い。
＜実施形態２＞
図８（ａ）は、本発明の理美容鋏の他例を示す正面図、（ｂ）は、（ａ）の下側面図、（ｃ）は、この理美容鋏の分解斜視図である。
【００５２】
この理美容鋏１０Ａは、図１の理美容鋏１０に較べ、一方の鋏部材１ＲＡだけが振動に関与する点では共通するが、回転往復変換機構４Ａの構成と、これに対応した重複部分１ｋの構成とが相違している。
【００５３】
より具体的には、鋏部材１ＲＡの把手部材１ｂＲＡ側の重複部分１ｍには、一対ではなく、一箇所だけのスライド長孔を備えたスライド部材４ｅが別部材として設けられ、これに対応して、刃部材１ｃＲＡ側の重複部分１ｎには、一箇所だけの上記スライド長孔に対応した長突起４ｆが設けられている点が異なっている。
【００５４】
把手部材１ｂＲＡ側の重複部分１ｍと、刃部材１ｃＲＡ側の重複部分１ｎとを合わせて重複部分１ｋと名付ける。以下、図９〜図１１を用いて、関連する部品の異なる部分について詳細に説明する。なお、振動に関与しない他方の刃部材１Ｌは、図１のものと共通である。
【００５５】
図９は、図８の理美容鋏の刃部材を示すもので、（ａ）は、その裏面図、（ｂ）は、その下側面図、（ｃ）は、その表面図、（ｄ）は、（ｃ）の右側面図である。この刃部材１ｂＲＡは、図３の刃部材１ｂＲに較べて、貫通長孔４ａの把手部材側だけに長突起４ｆが設けられ、その分だけ、刃部材１ｂＲＡ側の重複部分１ｎがより長いものとなっており、また、そのため触点１ｈ′もそれに対応したものとなっている点が異なっている。
【００５６】
図１０は、図８の理美容鋏の把手部材を示すもので、（ａ）は、その表面図、（ｂ）は、その下側面図、（ｃ）は、その裏面図、（ｄ）は、（ｃ）の右側面図である。この刃部材１ｃＲＡは、図４の刃部材１ｃＲに較べて、一対の長孔凹所４ｄではなく、刃部材１ｂＲＡの長突起４ｆに対応したスライド長孔を備えたスライド部材４ｅを嵌め込むための部材用凹部４ｇが、その重複部分１ｍに一箇所だけ設けられている点が異なっている。
【００５７】
図１１は、図８の理美容鋏のスライド部材を示すもので、（ａ）は、その正面図、（ｂ）は、その側面図である。このスライド部材４ｅは、刃部材１ｂＲＡの部材用凹部４ｇにガタ付きなく嵌め込まれ、重複部分１ｍの表面から突出しないようになっており、上記のスライド長孔４ｅａが設けられている。
【００５８】
このスライド長孔４ｅａの長手方向の長さは、長突起４ｆの長手方向の長さに偏芯部材３の偏芯量の２倍を加えた長さより小さくない長さとなっている。このスライド長孔４ｅａと長突起４ｆとの間の幅方向の隙間は、両者間にガタ付きがなく、両者が円滑にスライドする程度のものとなっている。また、両者の長手方向に伸びる方向は、刃部１ａの伸びる方向に対応したものである。
【００５９】
この理美容鋏１０Ａの回転往復変換機構４Ａは、貫通長孔４ａ、貫通孔４ｃ、長突起４ｆ、部材用凹部４ｇ及びスライド長孔４ｅａを備えたスライド部材４ｅを備えたものである。なお、スライド部材４ｅを別部品としたのは、このスライド部材４ｅを円滑摺動性のよい別部材、例えば、黄銅や、銅合金や、すべり軸受（「メタル」とも呼ばれ、アルミニウムや銅などを主成分とする合金を鋼の上に接着させ多層構造とし、潤滑性を持たせたもの。なお、この場合軸受の半径が無限大となって平面状となったものが適している。）で構成して、振動による円滑な接触部分の摺動を確保するためである。
【００６０】
このような理美容鋏１０Ａによれば、図１の理美容鋏１０と同様に、重複部分１ｋにより相互にスライド可能に連接された把手部材１ｂＲＡと刃部材１ｃＲＡとからなる鋏部材１ＲＡ、支点軸２、偏芯部材３、回転往復変換機構４Ａ、駆動部材５及び電池６という具体的構成によって、把手部材を振動させずに刃部材だけを振動させて理容師等の疲労を軽減することができる理美容鋏を実現することができる。
＜実施形態３＞
図１２は、（ａ）は、本発明の理美容鋏の他例を示す正面図、（ｂ）は、（ａ）の要部破断の下側面図、（ｃ）は、（ｂ）の要部拡大図、（ｄ）は、この理美容鋏の分解斜視図である。
【００６１】
この理美容鋏１０Ｂは、図１の理美容鋏１０に較べ、双方の鋏部材１ＲＢ、１ＬＢが振動に関与する点で異なり、これに対応して回転往復変換機構４ＢＲ、４ＢＬが一対であり、これに対応した重複部分１ｏＲ、１ｏＬの構成が相違している。つまり、いずれも両方の鋏部材１ＲＢ、１ＬＢにそれぞれ設けられている点が相違している。しかし、回転往復変換機構４ＢＲ、４ＢＬの基本的構成は同一である。
【００６２】
まず、図に示したように、双方の鋏部材１ＲＢ、１ＬＢが振動に関与するので、それぞれの鋏部材１ＲＢ、１ＬＢが把手部材１ｂＲＢ．１ｂＬＢと刃部材１ｃＲＢ．１ｃＬＢとを支点軸２部分で上下に重複部分１ｏＲ、１ｏＬを介して連接されたもので、把手部材１ｂＲＢ、１ｂＬＢの重複部分１ｐＲは非偏芯部３ｇを収容し、重複部分１ｐＬは、支点軸２Ａの角柱部２ｃを収容している。刃部材１ｃＲＢ、１ｃＬＢの重複部分１ｑＲ．１ｑＬは偏芯部３ｈＲ、３ｈＬを収容している。
【００６３】
重複部分には、スライド薄部材４ｋがそれぞれ挟まれている。これは、それぞれの重複部分１ｐＲ、１ｐＬ、重複部分１ｑＲ．１ｑＬ間の接触しながらの振動往復を円滑に長時間維持するためのものである。以下、上記各部材の詳細について、図１３〜１７を用いて、主にこれまでのものとの相違点を中心に説明する。また、回転往復変換機構４ＢＲ、４ＢＬの作用効果について、図１８を用いて詳しく説明する。
【００６４】
図１３は、図１２の理美容鋏の一方の把手部材を示すもので、（ａ）は、その表面図、（ｂ）は、その側面図、（ｃ）は、その裏面図、（ｄ）は、（ｃ）のＡＡ矢視断面図、（ｅ）は、この把手部材の斜視図である。この把手部材１ｂＬＢは、図２の把手部材１ｂＬに較べて、角穴１ｇを挟むように長孔凹所４ｉと長孔切り欠き４ｉ′が設けられ、その分だけ、把手部材部材１ｂＬＢの側の重複部分１ｇＬがより長いものとなっている点が異なっている。
【００６５】
図１４は、図１２の理美容鋏の他方の把手部材を示すもので、（ａ）は、その表面図、（ｂ）は、その側面図、（ｃ）は、その裏面図、（ｄ）は、（ｃ）のＢＢ矢視断面図、（ｅ）は、この把手部材の斜視図である。この把手部材１ｂＲＢは、図１３の把手部材１ｂＬＢに較べて、角穴１ｇ等を除いて、左右対称となっている点が異なっている。対称部分には、「Ｌ」の代わりに、「Ｒ」の添字が付されている。なお、符号４ｈは長孔凹所４ｉに、符号４ｈ′は長孔切り欠き４ｉ′に対応するものである。
【００６６】
図１５は、図１２の理美容鋏の刃部材を示すもので、（ａ）は、裏面図、（ｂ）は、その下側面図、（ｃ）は、その表面図、（ｄ）は、（ｃ）の右側面図、（ｅ）はこの刃部材の斜視図である。この刃部材部材１ｃＲＢ（１ｃＬＢ）は、左右一対であるが実質的に同じもので、図９の１ｃＲＡに較べ、把手部材１ｂＲＢ、１ｂＬＢの長孔凹所４ｄと長孔切り欠き４ｄ′に対応したスライド突起４ｊ、４ｊ′が設けられている点が異なっている。
【００６７】
スライド突起４ｊ、４ｊ′は、それが填まり込む把手部材１ｂＲＢ、１ｂＬＢの長孔凹所４ｄのスライド長孔４ｉ、４ｉ′、４ｈ、４ｈ′の中で、偏芯部材３の偏芯量の２倍より小さくない範囲で往復移動することができるようになっている。
【００６８】
図１６（ａ）は、図１２の理美容鋏のスライド薄部材を示す正面図、（ｂ）は、（ａ）の側面図、（ｃ）は、図１２の理美容鋏の支点軸の正面図、（ｄ）は、（ｃ）の側面図である。
【００６９】
図１６（ａ）、（ｂ）のスライド薄部材４ｋは、図１２に示したように、双方の鋏部材１ＲＢ、１ＬＢの、把手部材１ｂＲＢ．１ｂＬＢと刃部材１ｃＲＢ．１ｃＬＢとの間の重複部分１ｏＲ、１ｏＬに挿入されて、円滑摺動を向上維持させる役割を果たすもので、その摺動の支障にならないように、双方間の凹凸を逃がす、貫通孔４ｋａ、この貫通孔４ｋａを挟むような円弧切り欠き４ｋｂ、長円孔４ｋｃを備えている。
【００７０】
これらの貫通孔４ｋａ、円弧切り欠き４ｋｂ、長円孔４ｋｃは、それぞれこの重複部分を貫通する偏芯部材、凹凸である長孔凹所４ｈ、４ｉと長孔切り欠き４ｈ′、４ｉ′及びスライド突起４ｊ、４ｊ′を逃がすものである。スライド薄部材４ｋは薄いシート状で、上記スライド部材４ｅと同様のものを素材としたものが好適である。
【００７１】
図１６（ｃ）、（ｄ）の支点軸２Ａは、図５の支点軸２に較べ、円柱部２ｂ′がより長くなっている点だけが異なる。これは、この円柱部２ｂ′が入る、以下に説明する偏芯部材３Ａの貫通中心孔３ｃ′が長くなっているからである。なお、その分、先端ネジ部２ｄ′が、図５の支点軸２に較べ短くなっている。
【００７２】
図１７は、図１２の理美容鋏の偏芯部材を示すもので、（ａ）は、その正面図、（ｂ）は、その縦断面図、（ｃ）は、（ｂ）の右側面図、（ｄ）は、（ｂ）のＣＣ矢視断面図、（ｅ）は、（ｂ）のＤＤ矢視断面図である。この偏芯部材３Ａは、図６の偏芯部材３に較べて、一対の鋏部材１ＲＢ、１ＬＢの双方を振動させるために、偏芯部が、偏芯部３ｈＲと偏芯部３ｈＬとの２箇所ある点が、異なっている。
【００７３】
偏芯部３ｈＲと偏芯部３ｈＬとの間は短い区間ではあるが双方の偏芯の最小径を有する非偏芯部３ｉとなっている。このため、偏芯部材３Ａの長さも少し長くなり、これに対応して、貫通中心孔３ｃ′も長くなっている。一方、非偏芯部３ｇ′は、少し短くなっている。
【００７４】
ここで、図１７（ｄ）、（ｅ）とを較べてもらうと解るように、偏芯部３ｈＲと偏芯部３ｈＬとは、非偏芯部３ｉ（つまり、貫通中心孔３ｃ′）を中心として、ちょうど１８０度反対方向に偏芯している。これにより図１８で説明するように、一対の刃部材１ｃＲＢ、１ｃＬＢとは、ちょうど逆方向に振動するので、髪の毛を円滑に切断するのに都合がよい。
【００７５】
しかし、この偏芯部３ｈＲと偏芯部３ｈＬとの間の角度は、０度より大きく、１８０度以下であれば、どの角度であってもよい。この角度を変えることにより、把手部材１ｂに対する刃部材１ｃの一対の偏芯の位相を様々に変化させることができ、様々な振動態様を実現することができる。
【００７６】
ただし、偏芯部３ｈＲと偏芯部３ｈＬとの間の角度が０度の場合は、相互に把手部材１ｂに対しては振動するが、刃部材１ｃ同士は相対的に振動しない状態となるので、通常の振動しない理美容鋏と変わる所はなくなるので、その場合の理美容鋏は本願発明の範囲から除外される。
【００７７】
なお、この実施形態においては、回転往復変換機構４Ｂ（４ＢＲ、４ＢＬ）は、貫通長孔４ａ、貫通孔４ｃ、長孔凹所４ｈと長孔切り欠き４ｈ′（Ｒ側）、長孔凹所４ｉと長孔切り欠き４ｉ′（Ｌ側）及びスライド突起４ｊ、４ｊ′（Ｒ、Ｌ共通）を備えたものである。スライド薄部材４ｋは、回転往復変換機構４Ｂに必須のものではない。なお、この回転往復変換機構４ＢＬの把手部材１ｂＬＢについては、支点軸２Ａの角穴１ｇが非偏芯の中心となっている。
【００７８】
図１８は、図１２の理美容鋏の回転往復変換機構の動作状態を示すもので、（ａ）、（ｂ）は、その偏芯部材が最左方向に偏芯している状態を示す概念図、（ｃ）、（ｄ）は、その偏芯部材が９０度回転した状態を示す概念図、（ｅ）、（ｆ）は、その偏芯部材が１８０度回転した状態を示す概念図である。
【００７９】
これらの図について、回転往復変換機構４Ｂの基本となる回転往復変換機構４について図７を用いて既に詳細に説明したので、ここでは、この回転往復変換機構４と異なる点についてだけ説明する。なお、この説明図は、回転往復変換機構４Ｂの動作状態を説明するために必要な関連部品だけを取り出して説明するもので、説明に不要な部品は省略されている。
【００８０】
回転往復変換機構４Ｂが回転往復変換機構４に較べて異なるのは、既述したように偏芯部材３Ａが、二つの偏芯部３ｈＲと偏芯部３ｈＬを備え、この偏芯部３ｈＲと偏芯部３ｈＬの偏芯方向が１８０度異なる点にある。
【００８１】
つまり、偏芯部材３Ａが支点軸２Ａを中心として回転するにつれ、偏芯部３ｈＲと偏芯部３ｈＬの最も偏芯した部分の一方が刃部材１ｃＲＢを図中一番右に位置している状態（図１８（ａ））で、他方は刃部材１ｃＬＢを一番左に位置している状態（図１８（ｂ）となり、それから順に刃部材１ｃＲＢは右に、刃部材１ｃＬＢは左に動き（図１８（ｃ）、（ｄ））、１８０度回転した時には、刃部材１ｃＲＢは最右位置の、刃部材１ｃＬＢは最左位置の状態（図１８（ｅ）、（ｆ））となる、ということである。
【００８２】
こうして、この回転往復変換機構４Ｂを備えた理美容鋏１０Ｂによれば、図１の理美容鋏１０と同じ効果を発揮するのに加え、一対の刃部材１ｃＲＢ、１ｃＬＢが相互に反対方向に振動するので、毛髪をより滑らかに、負荷を少なく切断することができ、疲労軽減効果をより一層発揮することができる。
【００８３】
なお、本発明の理美容鋏は、上記の実施形態に限定されない。また、特許請求の範囲に記載された範囲、実施形態の範囲で、種々の変形例、組み合わせが可能であり、それらも、特許請求の範囲の技術的範囲に含まれるものである。例えば、刃部材を把持部材材に対して刃部の方向だけに相対的に移動させるための突起と凹部とは、上記では、刃部材側が突起で、把持部材側が凹部の例を示したが、その反対に、刃部材側が凹部で、把持部材側が突起であるようにしてもよい。
【００８４】
なお、上記実施形態に具現されているのは、刃部を備えた一対の鋏部材を支点軸により回動させる理美容鋏であって、前記支点軸を中心として回転し、偏芯部と非偏芯部とを備えた偏芯部材と、前記支点軸に対して前記偏芯部材だけを回転させる駆動部材と前記駆動部材に駆動エネルギを与える電池とを備え、
前記一対の鋏部材の少なくとも一方は、把手部材と刃部材とを前記支点軸部分で上下に重複部分を介して連接されたもので、前記把手部材の重複部分は前記非偏芯部を収容し、前記刃部材の重複部分は前記偏芯部を収容し、
前記把手部材と前記刃部材との重複部分に、前記把手部材に対して前記刃部材を、前記偏芯部材の回転に伴う偏芯運動を変換して、前記刃部材の刃部が伸びている方向へ他方の鋏部材の刃部材に対して相対的に往復運動させる回転往復変換機構が備えられていることを特徴とする理美容鋏である。
【００８５】
また、上記理美容鋏の内、一対の鋏部材の一方だけが、把手部材と刃部材とを前記支点軸部分で上下に重複部分を介して連接されたものとされ、前記重複部分に回転往復変換機構が備えられていることを特徴とする理美容鋏も上記実施形態に具現されている。
【産業上の利用可能性】
【００８６】
本発明の理美容鋏は、刃部材を振動させて理容師等の疲労を軽減することができる具体的構成を備えた理美容鋏が要請される、理美容業界などの産業分野に用いることができる。
【図１】
2014195582.tif 000003
【図２】
2014195582.tif 000004
【図３】
2014195582.tif 000005
【図４】
2014195582.tif 000006
【図５】
2014195582.tif 000007
【図６】
2014195582.tif 000008
【図７】
2014195582.tif 000009
【図８】
2014195582.tif 000010
【図９】
2014195582.tif 000011
【図１０】
2014195582.tif 000012
【図１１】
2014195582.tif 000013
【図１２】
2014195582.tif 000014
【図１３】
2014195582.tif 000015
【図１４】
2014195582.tif 000016
【図１５】
2014195582.tif 000017
【図１６】
2014195582.tif 000018
【図１７】
2014195582.tif 000019
【図１８】
2014195582.tif 000020
【図１９】
2014195582.tif 000021